(57)【要約】【課題】生産作業性に秀れ、量産性及び実用性に秀れた画期的なキャスターを提供する。【解決手段】ホルダー体１の上部取付部７の下部に前記車輪体３の回動軸２を挿通配設してこの回動軸２を回動自在に軸受け支持する軸受部１ａを設け、車輪体３は、前記ホルダー体１の軸受部１ａに挿通配設した回動軸２の前記軸受部１ａを介して左右両端側に一対の車輪半体３Ａを設けて成る構成とし、この車輪半体３Ａには前記回動軸２を挿通配設する軸挿通部４を設け、この軸挿通部４の内周面に抜け止め凹部５若しくは抜け止め凸部６を形成し、一方、回動軸２の外周面には抜け止め凸部６若しくは抜け止め凹部５を形成し、この車輪半体３Ａの軸挿通部４の所定挿通位置まで前記回動軸２を挿通配設せしめることで抜け止め凹部５と前記抜け止め凸部６とが抜け止め係合する構成とし、この軸挿通部４は、車輪半体３Ａの軸方向に貫通する貫通孔とする。【選択図】図１
0003128635.tif 000002
【実用新案登録請求の範囲】
【請求項１】
移動体に取り付けるホルダー体とこのホルダー体に回動自在に設ける車輪体とから成り、前記ホルダー体は、前記移動体に取り付け固定する上部取付部の下部に前記車輪体の回動軸を挿通配設してこの回動軸を回動自在に軸受け支持する軸受部を設けた構成とし、前記車輪体は、前記ホルダー体の軸受部に挿通配設した回動軸の前記軸受部を介して左右両端側に一対の車輪半体を設けて成る構成とし、この車輪半体には前記回動軸を挿通配設する軸挿通部を設け、この軸挿通部の内周面に抜け止め凹部若しくは抜け止め凸部を形成し、この抜け止め凹部若しくは抜け止め凸部と係合する抜け止め凸部若しくは抜け止め凹部を前記回動軸の外周面に形成し、この車輪半体の軸挿通部の所定挿通位置まで前記回動軸を挿通配設せしめ前記抜け止め凹部と前記抜け止め凸部とを係合せしめることでこの軸挿通部と回動軸とを抜け止め係合する構成とし、この軸挿通部は、車輪半体の軸方向に貫通する貫通孔とすることで、この軸挿通部に前記回動軸を挿通配設した際にこの回動軸の挿通位置を視認し得るように構成したことを特徴とするキャスター。
【請求項２】
前記車輪半体の軸挿通部に、前記回動軸を前記抜け止め凹部と抜け止め凸部とが係合して互いに抜け止め係合状態となる所定の挿通位置まで挿通せしめた状態で、この回動軸の軸端部面と前記車輪半体の前記軸受部と対向する内側面と反対の外側面とが略面一となるように設定したことを特徴とする請求項１記載のキャスター。
【請求項３】
前記回動軸及びこの回動軸の左右両端部に設ける車輪半体を樹脂成形品としたことを特徴とする請求項１，２のいずれか１項に記載のキャスター。
【請求項４】
前記車輪半体の中央部に貫通孔を形成すると共にこの貫通孔の孔縁を前記軸受部と対向する内方に向けて突出して突出部を形成し、この突出部と前記貫通孔とにより前記軸挿通部を構成したことを特徴とする請求項１〜３のいずれか１項に記載のキャスター。
【考案の詳細な説明】
【技術分野】
【０００１】
本考案は、移動体に移動車輪として取り付けられるキャスターに関するものである。
【背景技術】
【０００２】
例えば、椅子の脚や収納容体の底部など、移動体の下部に移動車輪として取り付けられるこの種のキャスターとして、例えば、特開平７−２５７１０４号公報に開示されているように、移動体に取り付け固定する上部取付部を上部に設けたホルダー体の下部に車輪体の回動軸を横設して、この横設した回動軸の左右両端部に一対の車輪半体を抜け止め状態に設けて前記ホルダー体に車輪体を回動自在に設けた構成とするものがある。
【０００３】
この種のキャスターにおいては、回動軸の端部付近に凹部若しくは凸部を形成し、一方、車輪半体には前記回動軸の端部を嵌挿する軸取付溝を形成すると共にその溝内面に凸部若しくは凹部を形成し、この車輪半体の軸取付溝に回動軸の端部を嵌挿して互いの凹部と凸部とを係合せしめることでこの回動軸の端部に車輪半体を抜け止めする組み付け構造が一般的である。
【０００４】
【特許文献１】特開平７−２５７１０４号公報
【考案の開示】
【考案が解決しようとする課題】
【０００５】
ところで、このような既存のキャスターの組み付け構造の場合、回動軸と車輪半体とがしっかりと抜け止め状態に組み付けられているか否かの確認が困難である。即ち、車輪半体の軸取付溝に回動軸の端部がしっかりと奥まで差し込まれていない場合、互いの凹部と凸部との係合が不十分となりこの車輪半体と回動軸との組み外れなどの不良が生ずる懸念があるが、この車輪半体の軸取付溝と回動軸との組み付け具合が十分であるか否か（凹部と凸部とが確実に抜け止め係合されているか否か）は、単に組み付け作業後に作業者が一見しただけでは判断できず、取付溝部から回動軸を引っ張ったりして確かめる必要がある。
【０００６】
しかしながら、このように車輪半体と回動軸とを組み付けた後、一体づつこの組み付け具合を一々回動軸を引っ張ったりしながら確認していては、作業効率が極めて悪く生産性を著しく損ねてしまう（この種のキャスターのような量産製品において、この生産作業性の劣化は重大な問題である。）。
【０００７】
本考案は、この点、車輪半体と回動軸との組み付けを作業効率良く行え、また、この車輪半体と回動軸との抜け止め凹部と抜け止め凸部とがしっかりと係合し双方が確実に抜け止めされているが（しっかりと組み付けられているか否か）を一見して判断することができ、よって生産作業性に秀れ組み外れの不良も阻止できる極めて量産性及び実用性に秀れた画期的なキャスターを提供することを課題とする。
【課題を解決するための手段】
【０００８】
添付図面を参照して本考案の要旨を説明する。
【０００９】
移動体Ａに取り付けるホルダー体１とこのホルダー体１に回動自在に設ける車輪体３とから成り、前記ホルダー体１は、前記移動体Ａに取り付け固定する上部取付部７の下部に前記車輪体３の回動軸２を挿通配設してこの回動軸２を回動自在に軸受け支持する軸受部１ａを設けた構成とし、前記車輪体３は、前記ホルダー体１の軸受部１ａに挿通配設した回動軸２の前記軸受部１ａを介して左右両端側に一対の車輪半体３Ａを設けて成る構成とし、この車輪半体３Ａには前記回動軸２を挿通配設する軸挿通部４を設け、この軸挿通部４の内周面に抜け止め凹部５若しくは抜け止め凸部６を形成し、この抜け止め凹部５若しくは抜け止め凸部６と係合する抜け止め凸部６若しくは抜け止め凹部５を前記回動軸２の外周面に形成し、この車輪半体３Ａの軸挿通部４の所定挿通位置まで前記回動軸２を挿通配設せしめ前記抜け止め凹部５と前記抜け止め凸部６とを係合せしめることでこの軸挿通部４と回動軸２とを抜け止め係合する構成とし、この軸挿通部４は、車輪半体３Ａの軸方向に貫通する貫通孔とすることで、この軸挿通部４に前記回動軸２を挿通配設した際にこの回動軸２の挿通位置を視認し得るように構成したことを特徴とするキャスターに係るものである。
【００１０】
また、前記車輪半体３Ａの軸挿通部４に、前記回動軸２を前記抜け止め凹部５と抜け止め凸部６とが係合して互いに抜け止め係合状態となる所定の挿通位置まで挿通せしめた状態で、この回動軸２の軸端部面と前記車輪半体３Ａの前記軸受部１ａと対向する内側面と反対の外側面とが略面一となるように設定したことを特徴とする請求項１記載のキャスターに係るものである。
【００１１】
また、前記回動軸２及びこの回動軸２の左右両端部に設ける車輪半体３Ａを樹脂成形品としたことを特徴とする請求項１，２のいずれか１項に記載のキャスターに係るものである。
【００１２】
また、前記車輪半体３Ａの中央部に貫通孔を形成すると共にこの貫通孔の孔縁を前記軸受部１ａと対向する内方に向けて突出して突出部を形成し、この突出部と前記貫通孔とにより前記軸挿通部４を構成したことを特徴とする請求項１〜３のいずれか１項に記載のキャスターに係るものである。
【考案の効果】
【００１３】
本考案は上述のように構成したから、車輪半体の軸挿通部の所定挿通位置まで回動軸を挿通配設せしめることで、この軸挿通部と回動軸とに夫々設けた抜け止め凹部と抜け止め凸部とが係合し、この軸挿通部に回動軸を抜け止め係合でき、ひいては車輪半体と回動軸とを抜け止め状態に組み付けできる。
【００１４】
また、仮にこの車輪半体の軸挿通部への回動軸の挿通度合いが浅い、即ち、所定の挿通配設位置まで回動軸が挿通されていないと、抜け止め凹部と抜け止め凸部との係合が確実に果たされず、車輪半体と回動軸とが不意に組み外れるなどの不良が生ずる懸念がある。
【００１５】
しかし、この点、本考案においては、軸挿通部に回動軸を挿通配設した際にこの回動軸の挿通位置を外方から視認できる（軸挿通部が貫通孔である為）。
【００１６】
従って、このように回動軸の挿通位置を視認できる構成上、仮に前記のように回動軸の挿通度合いが浅い場合は、一見してその挿通度合いが浅いことに気付くことができる。
【００１７】
よって、本考案は、回動軸が適正な挿通位置まで挿通配設され車輪半体と回動軸との抜け止め係合が確実に達成されているか否かのチェックを、従来例のように一々回動軸を引っ張ったりして面倒なチェック作業を行わずとも回動軸の挿通位置を視認することで簡単にチェックでき、しかも軸挿通部は貫通孔であるが故に、この軸挿通部に回動軸を位置合わせしてこの軸挿通部内に導入（挿入）する操作も簡単に行え、この点においても組み付け作業性に秀れるなど、車輪体と回動軸との組み外れ（抜け外れ）の不良を阻止しながら作業効率良く生産できる極めて量産性及び実用性に秀れた画期的で商品価値の高いキャスターとなる。
【考案を実施するための最良の形態】
【００１８】
好適と考える本考案の実施形態（考案をどのように実施するか）を、図面に基づいて本考案の作用を示して簡単に説明する。
【００１９】
本考案は、移動体Ａに取り付けるキャスターである。
【００２０】
ホルダー体１の移動体Ａに取り付け固定する上部取付部７の下部の軸受部１ａに車輪体３の回動軸２を回動自在に軸受け支持して、この車輪体３を前記ホルダー体１の上部取付部７の下部に回動自在に設けている。
【００２１】
このホルダー体１の上部取付部７を移動体Ａに取り付け固定することで、前記車輪体３をこの移動体Ａに回動自在に取り付けるものである。
【００２２】
また、本考案では、車輪体３は、前記ホルダー体１の軸受部１ａに挿通配設した回動軸２の前記軸受部１ａを介して左右両端側に一対の車輪半体３Ａを設けて成る構成としている。
【００２３】
詳述すると、この車輪半体３Ａには、前記回動軸２を挿通配設する軸挿通部４を設け、更にこの軸挿通部４の内周面には抜け止め凹部５若しくは抜け止め凸部６を形成している。また一方、この軸挿通部４の内周面の抜け止め凹部５若しくは抜け止め凸部６と係合する抜け止め凸部６若しくは抜け止め凹部５を前記回動軸２の外周面に形成している。
【００２４】
この車輪半体３Ａの軸挿通部４の所定挿通位置まで前記回動軸２を挿通配設せしめ前記抜け止め凹部５と前記抜け止め凸部６とを係合せしめることで、この軸挿通部４と回動軸２とが抜け止め係合されることとなる。
【００２５】
即ち、車輪半体３Ａの軸挿通部４の所定挿通位置まで回動軸２を挿通配設せしめることでこの車輪半体３Ａと回動軸２とを抜け止め状態に組み付けできる構成である。
【００２６】
ここで、仮にこの車輪半体３Ａの軸挿通部４への回動軸２の挿通度合いが浅い（適正な所定挿通配設位置まで回動軸２が挿通されていない）場合には、前記の抜け止め凹部５と抜け止め凸部６との係合が不十分となりこの車輪半体３Ａと回動軸２との抜け止めが不十分で組み外れなどの不良が生ずる懸念がある。
【００２７】
しかし、本考案においては、軸挿通部４は、車輪半体３Ａの軸方向に貫通する貫通孔としているが故に、この軸挿通部４に回動軸２を挿通配設した際にこの回動軸２の挿通位置を外方から視認できる構成である。従って、仮に車輪半体３Ａの軸挿通部４への回動軸２の挿通度合いが浅い場合には、回動軸２の挿通位置が適正な位置でないことを一目で視認し判断でき、よって、回動軸２が適正な挿通位置まで挿通配設され車輪半体３Ａと回動軸２との抜け止め係合が確実に達成されているか否かのチェックを、一々回動軸２を引っ張ったりして確かめる必要は無く、回動軸２の挿通位置を視認し、一見して前記チェックを達成できることとなる。
【００２８】
加えて、軸挿通部４は貫通孔であるが故に、車輪半体３Ａと回動軸２とを抜け止め状態に組み付ける際、車輪半体３Ａの軸挿通部４に回動軸２を位置合わせしてこの軸挿通部内に導入（挿入）する操作も非常に行い易く、作業効率良く組み付け作業を行えることとなる。
【００２９】
従って、本考案は、車輪半体３Ａと回動軸２とを簡単にして確実に抜け止め状態に組み付けでき、よって抜け外れの不良が生ずる問題を回避できる上に、この確実な抜け止めが達成されているか否かを一見して判断することも可能である為、作業効率性に極めて秀れ、量産性及び実用性に極めて秀れたものとなる。
【００３０】
また、例えば、前記車輪半体３Ａの軸挿通部４に、前記回動軸２を前記抜け止め凹部５と抜け止め凸部６とが係合して互いに抜け止め係合状態となる所定の挿通位置まで挿通せしめた状態で、この回動軸２の軸端部面と前記車輪半体３Ａの前記軸受部１ａと対向する内側面と反対の外側面とが略面一となるように設定した場合には、この一対の車輪半体３Ａから成る車輪体３を外方から見た際に、車輪半体３Ａの外側面から回動軸２が突出していたり、軸挿通部４が凹没していたりせず、回動軸２の軸端部面が略面一に配されている為、非常に体裁が良く外観上も秀れたものとなる。
【００３１】
しかも、この車輪半体３Ａの外側面と略面一となる位置まで回動軸２を軸挿通部４に挿通配設せしめることで、丁度この車輪半体３Ａの軸挿通部４と回動軸２との抜け止め凹部５と抜け止め凸部６とが抜け止め係合されることとなるので、回動軸２が適正な挿通配設位置まで軸挿通部４に挿通されたか否かのチェックを一層簡易にして良好に達成できることとなる。
【００３２】
また、例えば、前記回動軸２及びこの回動軸２の左右両端部に設ける車輪半体３Ａを樹脂成形品とした場合には、上述の通り組み付け性に秀れ量産性や実用性に秀れる上に、回動軸２や車輪半体３Ａを樹脂成形品とすることで一層量産化が容易となり量産性やコスト性に秀れることとなる。
【００３３】
また、例えば、前記車輪半体３Ａの中央部に貫通孔を形成すると共にこの貫通孔の孔縁を前記軸受部１ａと対向する内方に向けて突出して突出部を形成し、この突出部と前記貫通孔とにより前記軸挿通部４を構成した場合には、仮に車輪半体３が肉薄な円盤状の部材で構成されていても、この車輪半体３の軸方向に十分長い形状の軸挿通部４を突出状態に構成できることとなり、それだけこの軸挿通部４と回動軸２とのガタツキを阻止でき、また、抜け止め凹部５や抜け止め凸部６を形成するに十分なスペースをこの軸挿通部４の内周面に良好に確保できるなど、本考案の軸挿通部４として一層好適なものとなる。
【実施例】
【００３４】
本考案の具体的な実施例について図面に基づいて説明する。
【００３５】
本実施例は、椅子の脚や収納容体の底部などの移動体Ａの下部に移動車輪として取り付けられるキャスターであって、移動体Ａに取り付けるホルダー体１とこのホルダー体１に回動自在に設ける車輪体３とから成るものである。
【００３６】
尚、本実施例においては、図５に図示したように、収納用ラックの底部の四隅に移動車輪として取り付けて使用するものとする。
【００３７】
ホルダー体１は、図２及び図３に図示したように、移動体Ａ（収納用ラック）に取り付け固定する上部取付部７の下部に、前記車輪体３の回動軸２を挿通配設してこの回動軸２を回動自在に軸受け支持する軸受部１ａを設けた構成である。
【００３８】
具体的には、上部取付部７は、移動体Ａの底部に形成された取付用差し込み穴８に差し込んで取り付け固定するものであって、図２に図示したように筒状に構成している。
【００３９】
また、この筒状の上部取付部７の上端部位置には外周方向に突出するフランジ７ａを形成しており、図５に図示したように、移動体Ａの底部の取付用差し込み穴８にこのホルダー体１の上部取付部７を差し込んだ際に、この上部取付部７のフランジ部７ａに対応する前記取付用差し込み穴８の穴内面に周設された凹溝部内にこのフランジ部７ａが落ち込み係合することで、この移動体Ａの底部にホルダー体１を抜け止め状態に取り付け固定し得るものである。
【００４０】
また、筒状の上部取付部７の下端部には、このホルダー体１に回動自在に設ける車輪体３の上方所定範囲を囲繞するＵ字状若しくはＣ字状のカバー体９を設けている。
【００４１】
そして、このカバー体９の内面（車輪体３と対向する面）を突出状態に形成してこのカバー体９による囲繞空間内にしてこのカバー体９の下方寄りの所定位置に筒状に軸受部１ａを形成した構成である。
【００４２】
この軸受部１ａに回動軸２を回動自在に軸受け支持してホルダー体１に回動自在に設ける車輪体３は、図１及び図２に図示したように、前記ホルダー体１の軸受部１ａに挿通配設した回動軸２の前記軸受部１ａを介して左右両端側に一対の車輪半体３Ａを設けて成る構成である。
【００４３】
また、この車輪半体３Ａには、図１及び図２に図示したように、前記回動軸２を挿通配設する軸挿通部４を設け、更にこの軸挿通部４の内周面には、抜け止め凹部５若しくは抜け止め凸部６を形成し、この抜け止め凹部５若しくは抜け止め凸部６と係合する抜け止め凸部６若しくは抜け止め凹部５を前記回動軸２の外周面に形成している。
【００４４】
具体的には、本実施例では、車輪半体３Ａの軸挿通部４の内周面に、回動軸２の外周面に形成する抜け止め凹部５と係合する抜け止め凸部６を突設した構成である。この抜け止め凸部６は軸挿通部４の内周面に全周状態に周設した構成としても良いが、本実施例においては、図４に図示したように、軸挿通部４の内周面に所定の間隔を介して複数箇所（４箇所）に分けてこの抜け止め凸部６を突設している。
【００４５】
また、この車輪半体３Ａを左右両端部に設ける軸支持部２は、図１及び図２に図示したように、中央部が一定径の円柱状に構成し、左右両端部に凹溝状に抜け止め凹部５を周設した構成である。
【００４６】
そして、図１に図示したように、この車輪半体３Ａの軸挿通部４の所定挿通位置まで前記回動軸２を挿通配設せしめ前記抜け止め凹部５と前記抜け止め凸部６とを係合せしめることでこの軸挿通部４と回動軸２とを抜け止め係合する構成としている。
【００４７】
また、前記車輪半体３Ａの中央部に貫通孔を形成すると共にこの貫通孔の孔縁を前記軸受部１ａと対向する内方に向けて突出して突出部を形成し、この突出部と前記貫通孔とにより前記軸挿通部４を構成している。
【００４８】
従って、この軸挿通部４は、車輪半体３Ａの軸方向に貫通する貫通孔であり、この軸挿通部４に前記回動軸２を挿通配設した際にこの回動軸２の挿通位置を視認し得る構成である。
【００４９】
尚、この車輪半体３Ａの外周縁部も内方（軸受部１ａと対向する方向）に向けて立ち上がった形状としており、この車輪半体３Ａの接地面を幅広に設けている。
【００５０】
また、本実施例では、回動軸２をホルダー体１の軸受部１ａに挿通し、この回動軸２の前記軸受部１ａを介して左右両端側に夫々車輪半体３Ａの軸挿通部４の所定挿通位置まで前記回動軸２を挿通配設せしめ、図１に図示したように、回動軸２の左右両端側に夫々車輪半体３Ａを抜け止め状態に設けた際に、前記車輪半体３Ａの抜け止め凸部６が回動軸２の抜け止め凹部６に没落して係合している為にこの回動軸２の軸方向外側（軸受部１ａと反対側）に向けての車輪半体３Ａの移動が規制され、一方、この車輪半体３Ａの軸挿通部４の前記軸受部１ａと対向する側の端部は前記軸受部１ａの近傍に位置する為に前記回動軸２の軸方向内側に向けての車輪半体３Ａの移動もこの軸受部１ａに当接することで規制されるように構成している。従って、この回動軸２の左右両端部の車輪半体３Ａは、この回動軸２に抜け止め状態に設けられることとなる。
【００５１】
尚、この左右一対の各車輪半体３Ａは互いに同一形状としている。
【００５２】
また、本実施例では、図１及び図３に図示したように、前記車輪半体３Ａの軸挿通部４に、前記回動軸２を前記抜け止め凹部５と抜け止め凸部６とが係合して互いに抜け止め係合状態となる所定の挿通位置まで挿通せしめた状態で、この回動軸２の軸端部面と前記車輪半体３Ａの前記軸受部１ａと対向する内側面と反対の外側面とが略面一となるように考慮して回動軸２の軸方向長さを設定している。
【００５３】
従って、この一対の車輪半体３Ａから成る車輪体３を外方から見た際に、図３に図示したように、車輪半体３Ａの外側面から回動軸２が突出していたり、軸挿通部４が凹没していたりせず、回動軸２の軸端部面が略面一に配されている為、非常に体裁が良く外観上も秀れたものとなるだけでなく、この車輪半体３Ａの外側面と略面一となる位置まで回動軸２を軸挿通部４に挿通配設せしめることで、丁度この車輪半体３Ａの軸挿通部４と回動軸２との抜け止め凹部５と抜け止め凸部６とが抜け止め係合されることとなるので、回動軸２が適正な挿通配設位置まで軸挿通部４に挿通されたか否かが一目で分かり、この車輪半体３Ａと回動軸２との組み付け不良（不意の組み外れなど）を良好に阻止できる。
【００５４】
尚、本実施例では、ホルダー体１，回動軸２，車輪体３（車輪半体３Ａ）のいずれも樹脂成形品としているが、回動軸２の前記軸受部１ａに軸受け支持される中央部にはアルミ製の保護カバーを被覆するなどして軸強度を向上するなどしても良い。
【００５５】
本実施例は、上述のように構成したから、図１に図示したように、ホルダー体１の軸受部１ａに挿通して軸受け支持した回動軸２の左右両端部に、外方から車輪半体３Ａを配し、この車輪半体３Ａの軸挿通部４に軸受部１ａの端部を挿通配設せしめ、抜け止め凹部５と抜け止め凸部６とを係合することで、この回動軸２の左右両端部に車輪半体３Ａを抜け止め状態に設けて前記ホルダー体１に車輪体３を回動自在に設けることができる。
【００５６】
ここで、仮にこの車輪半体３Ａの軸挿通部４への回動軸２の挿通度合いが浅い（適正な所定挿通配設位置まで回動軸２が挿通されていない）場合には、前記の抜け止め凹部５と抜け止め凸部６との係合が不十分となりこの車輪半体３Ａと回動軸２との抜け止めが不十分で組み外れなどの組み付け不良が生ずる懸念があるが、本実施例においては、この軸挿通部４に回動軸２を挿通配設した際にこの回動軸２の軸端部面が車輪半体３Ａの外側面と略面一となる位置に来ているか否かをチェックすることで、回動軸２の挿通位置が適正な位置であるか否かを簡単に判断できる。
【００５７】
また、軸挿通部４は貫通孔であるが故に、車輪半体３Ａと回動軸２とを抜け止め状態に組み付ける際、車輪半体３Ａの軸挿通部４に回動軸２を位置合わせしてこの軸挿通部内に導入（挿入）する操作も非常に行い易く、作業効率良く組み付け作業を行えることとなる。
【００５８】
よって、本実施例は、車輪半体３Ａと回動軸２とを簡単にして確実に抜け止め状態に組み付けでき、よって組み付け不良を回避できると共に確実な抜け止めが達成されているか否かを面倒な作業を要さず一見して判断できる為、作業効率が極めて高く量産性及び実用性に極めて秀れた画期的なキャスターとなる。
【００５９】
尚、本考案は、本実施例に限られるものではなく、各構成要件の具体的構成は適宜設計し得るものである。
【図面の簡単な説明】
【００６０】
【図１】本実施例に係るキャスターの説明正断面図である。
【図２】本実施例に係るキャスターの説明分解斜視図である。
【図３】本実施例に係るキャスターの説明斜視図である。
【図４】本実施例に係るキャスターの車輪半体３Ａの説明側面図である。
【図５】本実施例に係るキャスターの使用状態を示す図である。
【符号の説明】
【００６１】
１  ホルダー体
１ａ  軸受部
２  回動軸
３  車輪体
３Ａ  車輪半体
４  軸挿通部
５  抜け止め凹部
６  抜け止め凸部
７  上部取付部
Ａ  移動体
【図１】
0003128635.tif 000003
【図２】
0003128635.tif 000004
【図３】
0003128635.tif 000005
【図４】
0003128635.tif 000006
【図５】
0003128635.tif 000007